(57)【要約】【課題】  効果処理による鑑賞性を持続させることを可能とする。【解決手段】  画像データに係る所定の情報を判定し（ステップＳ３０８）、その判定結果に応じて画像データに対する効果処理を切り替えて実行する（ステップＳ３０９、ステップＳ３１０）。【選択図】  図３
2007043226.tif 000002
【特許請求の範囲】
【請求項１】
画像データに係る所定の情報を判定する判定手段と、
前記判定手段による判定結果に応じて、前記画像データに対する効果処理を切り替えて実行する効果処理手段と、
前記効果処理手段による効果処理が施された前記画像データを表示手段上に表示させる表示制御手段とを有することを特徴とする画像処理装置。
【請求項２】
前記画像データに係る所定の情報は、前記画像データの属性情報であることを特徴とする請求項１に記載の画像処理装置。
【請求項３】
前記画像データの属性情報には、前記画像データの回転情報が含まれ、前記判定手段は、前記画像データの回転情報を判定し、前記効果処理手段は、前記回転情報に応じて前記画像データに対する効果処理を切り替えて実行することを特徴とする請求項２に記載の画像処理装置。
【請求項４】
前記効果処理手段は、前記判定手段による判定結果に応じて、前記画像データの可視範囲を徐々に変化させる効果処理を切り替えて実行することを特徴とする請求項１乃至３の何れか１項に記載の画像処理装置。
【請求項５】
前記表示制御手段は、前記判定手段による判定結果に対応する画像データを更に前記表示手段上に表示させることを特徴とする請求項２乃至４の何れか１項に記載の画像処理装置。
【請求項６】
前記表示制御手段は、前記判定手段による判定結果とともに当該判定結果に対応する画像データを前記表示手段上に表示させることを特徴とする請求項５に記載の画像処理装置。
【請求項７】
前記画像データの属性情報には、前記画像データの生成時期を示す情報が含まれ、前記表示制御手段は、前記画像データの生成時期を示す情報に対応する画像データを更に前記表示手段上に表示させることを特徴とする請求項５又は６に記載の画像処理装置。
【請求項８】
表示手段上に表示させる画像データを処理する画像処理装置による画像処理方法であって、
画像データに係る所定の情報を判定する判定ステップと、
前記判定ステップによる判定結果に応じて、前記画像データに対する効果処理を切り替えて実行する効果処理ステップと、
前記効果処理ステップによる効果処理が施された前記画像データを表示手段上に表示させる表示制御ステップとを含むことを特徴とする画像処理方法。
【請求項９】
請求項８に記載の画像処理方法をコンピュータに実行させるためのプログラム。
【請求項１０】
請求項９に記載のプログラムを記録したコンピュータ読み取り可能な記録媒体。
【発明の詳細な説明】
【技術分野】
【０００１】
本発明は、表示させる画像データに対して施す効果処理を切り替えて実行可能な画像処理装置及び画像処理方法に関するものである。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
これらの電子カメラによれば、撮影前の画像を連続して表示して電子カメラの使用者が構図を決定することや、撮影した画像を再生表示して確認することが可能である。さらに、再生表示では、閲覧を目的として画像を自動再生する機能を備えたものもある。また、自動再生の際に画像の切り替わり時に効果をかける機種もある。効果は単調な自動再生にアクセントをつけ、鑑賞性を高める効果がある。なお、特許文献１には、画像に効果処理を施して再生する再生装置が開示されている。
【０００４】
【特許文献１】特開２００４−２２８７３１号公報
【発明の開示】
【発明が解決しようとする課題】
【０００５】
しかしながら、同じ効果を絶えず実行していたのでは、やはり単調になる恐れがある。例えば、スライドショーに用いられる効果等も鑑賞性を高める反面、同じ効果を繰り返すと単調に感じたり飽きてしまう虞がある。
【０００６】
そこで、本発明の目的は、効果処理による鑑賞性を持続させることを可能とすることにある。
【課題を解決するための手段】
【０００７】
本発明の画像処理装置は、画像データに係る所定の情報を判定する判定手段と、前記判定手段による判定結果に応じて、前記画像データに対する効果処理を切り替えて実行する効果処理手段と、前記効果処理手段による効果処理が施された前記画像データを表示手段上に表示させる表示制御手段とを有することを特徴とする。
本発明の画像処理方法は、表示手段上に表示させる画像データを処理する画像処理装置による画像処理方法であって、画像データに係る所定の情報を判定する判定ステップと、前記判定ステップによる判定結果に応じて、前記画像データに対する効果処理を切り替えて実行する効果処理ステップと、前記効果処理ステップによる効果処理が施された前記画像データを表示手段上に表示させる表示制御ステップとを含むことを特徴とする。
本発明のプログラムは、前記画像処理方法をコンピュータに実行させることを特徴とする。
本発明のコンピュータ読み取り可能な記録媒体は、前記プログラムを記録したことを特徴とする。
【発明の効果】
【０００８】
本発明によれば、画像データに係る所定の情報に応じて当該画像データに対して施す効果処理を切り替えるように構成したので、効果処理による鑑賞性を持続させることが可能となる。
【発明を実施するための最良の形態】
【０００９】
以下、本発明を適用した好適な実施形態を、添付図面を参照しながら詳細に説明する。
【００１０】
図１は、本発明の実施形態に係る電子カメラの構成を示す図である。図１において、１００は画像処理装置である。１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００１１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１２】
２０は画像処理回路であり、 Ａ／Ｄ変換器１６からのデータ或いはメモリ制御回路２２からのデータに対して所定の画素補間処理や色変換処理を行う。
【００１３】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００１８】
画像表示部２８を用いて撮像した画像データを逐次表示すれば、電子ファインダ機能を実現することが可能である。
【００１９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２１】
また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は絞り機能を備えるシャッタ１２を制御する露光制御手段であり、フラッシュ４８と連携することによりフラッシュ調光機能も有するものである。
【００２３】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２４】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２５】
５０は画像処理装置１００全体を制御するシステム制御回路、５２はシステム制御回路５０の動作用の定数、変数、プログラム等を記憶するメモリである。
【００２６】
５４はシステム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００２７】
また、表示部５４は、その一部の機能が光学ファインダ１０４内に設置されている。表示部５４の表示内容のうち、ＬＣＤ等に表示するものとしては、シングルショット/連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００２８】
また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００２９】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３０】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３１】
６２はシャッタスイッチＳＷ１で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
６４はシャッタスイッチＳＷ２で、不図示のシャッタボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００３４】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３６】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００３８】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３９】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４０】
インタフェース及びコネクタとしては、ＰＣＭＣＩＡカードやＣＦ（コンパクトフラッシュ（登録商標））カード等の規格に準拠したものを用いて構成して構わない。
【００４１】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４２】
１０２は、画像処理装置１００のレンズ１０を含む撮像部を覆う事により、撮像部の汚れや破損を防止するバリアである保護手段である。
【００４３】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００４４】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４５】
１１２は通信手段１１０により画像処理装置１００を他の機器と接続するコネクタ或いは無線通信の場合はアンテナである。
【００４６】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４７】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４８】
画像処理装置１００は、さらに、不図示の縦位置検知センサを備えている。この縦位置検知センサは、画像処理装置１００の姿勢、具体的には縦位置、横位置であるかを検知することができる。この縦位置検知センサは、４方向における傾きを検出する公知の傾斜センサを用いることができる。この縦位置検知センサにより検知された姿勢（縦位置／横位置）に関する情報（以下、回転情報）は、撮影時に撮影画像と共に記憶される。
【００４９】
次に、図２から図６を参照して、本実施形態の動作を説明する。図２は本実施形態に係る電子カメラの操作部材を示す図である。電源ボタン２０１は電子カメラの起動と終了に用いる。メニューボタン２０２は撮影条件の変更や日付の設定、画像のプロテクトや削除といったメニューへ入る時に使用するボタンである。また、各種設定モードを終了する場合にも使う。決定ボタン２０３は選択項目の決定に用いる。表示ボタン２０４は画像に関する撮影情報の表示・非表示または電子ビューファインダの表示・非表示を切り替える。左ボタン２０５は選択項目を左に移動する場合や画像送りに用いる。右ボタン２０６は選択項目を右に移動する場合や画像送りに用いる。右ボタン２０６および左ボタン２０５を本実施形態では画像送りボタンとして用いている。上ボタン２０７は選択項目を上に移動する場合に用いる。下ボタン２０８は選択項目を下に移動する場合に用いる。シャッタボタン２０９は撮影モードで撮影する時に利用するボタンである。ズームボタン２１０はズームレンズを駆動させるボタンであり左右に振ることで撮影対象の画角を変えることができる。モード切り替えスイッチ２１１は録画モードと再生モードを切り替える。液晶画面２１２は画像データを確認しながら撮影する場合に用いる。また撮影した画像データの確認にも液晶画面２１２は用いる。
【００５０】
図３は本発明の実施形態に係る電子カメラの動作を示すフローチャートである。スライドショー開始により、最初の画像データを読み込む（ステップＳ３０１）。最初の画像データは効果開始前に撮影日時情報を表示させる（ステップＳ３０２）。撮影日時情報表示後、その情報を記憶し（ステップＳ３０６）、一定の時間が経過すると撮影日時情報は消える（ステップＳ３０７）。
【００５１】
次に当該画像データの回転情報を解析し（ステップＳ３０８）、回転情報がタテの場合はタテ位置画像用の効果処理を実行し（ステップＳ３０９）、ヨコ位置の場合は、ヨコ位置画像用の効果処理を実行する（ステップＳ３１０）。効果処理が実行されたらタイマがスタートし（ステップＳ３１１）、画像データが表示された（ステップＳ３１２）後にタイマがＮ秒経過したかどうかを調べる（ステップＳ３１３）。Ｎは任意に設定できてもよいし、固定値でもよい。Ｎ秒経過していなければ画像表示状態に戻る。Ｎ秒経過していた場合はタイマをクリアし（ステップＳ３１４）、それがスライドショーの最後の画像データかどうかを調べる（ステップＳ３１５）。最後の画像データの場合はスライドショーを終了させる。最後の画像データでない場合は、次の画像データを読み込む（ステップＳ３０３）。続いて、前に読み込んだ画像データの撮影日時情報から今回読み込んだ画像データの撮影日時情報が変更したかを調べ（ステップＳ３０４）、撮影日時情報が変更した場合は撮影日時を表示させる（ステップＳ３０５）。
【００５２】
図４は、本実施形態のスライドショー効果の一例を示す図である。撮影日時情報が表示され（４０１）、画像の回転情報に応じた効果処理をスタートする。回転情報がヨコの場合は、例えば４０２に示すように画面中央から多少ずれた位置に最小スケールの十字状の画像データ可視範囲を配置し、回転情報がタテの場合は、例えば４０４に示すように画面中央の位置に最小スケールの十字状の画像データ可視範囲を配置する。続いて画像データ可視範囲を徐々に大きくしていき、最大スケールとなると徐々に画像データ可視範囲を小さくする。再び画像データ可視範囲が最小スケールとなり当該画像データに対する効果処理が終了すると（４０３、４０５）、次の画像データが読み込まれ、前回読み込んだ画像データと次の画像データとの撮影日時情報が違う場合は、次の画像データの撮影日付を示す画面を表示する（４０１）。また、撮影日時を画面表示する際には、その撮影日時情報に対応する背景画像データを読み出し、撮影日時情報ととともに背景画像データを表示することも可能である。図５は、撮影日時情報及び背景画像データを画面表示した例を示す図である。図５（ａ）は、"2004.12.25"の撮影日時情報とともに、当該撮影日時情報に対応する冬をイメージさせる背景画像データが表示された場合を例示している。図５（ｂ）は、"2004.8.15"の撮影日時情報とともに、当該撮影日時情報に対応する夏をイメージさせる背景画像データが表示された場合を例示している。
【００５３】
次の画像データと前回の画像データとの日時情報が同じで回転情報が違う場合は、ヨコ位置画像用の効果処理が終了（４０３）した後にタテ位置画像用の効果処理を開始（４０４）し、タテ位置画像用の効果処理が終了（４０５）した後にヨコ位置画像用の効果処理を開始（４０２）する。
【００５４】
以上のように本実施形態によれば、画像に含まれる回転情報（属性情報）に応じて効果処理を変化させるように構成したので、鑑賞性を持続させるとともに、画像の属性を感覚的に理解することが可能となる。また本実施形態によれば画像の生成時期を示す撮影日時情報（属性情報）に応じて表示させる背景画像を切り替えるように構成したので、その画像の撮影日時を背景画像から直感的に把握することも可能となる。
【００５５】
なお、本実施形態では、解析する画像データの撮影情報が撮影日時情報と回転情報のみであったが、それ以外の撮影情報を解析して別の効果につなげてもよい。画像データを読み込んだ後に撮影日時情報が表示されるとしたが、効果処理の実行前、効果処理の実行後、または効果処理の実行中に表示されてもよい。撮影日時情報を表示後、一定の時間が経過すると日時情報が消えるとしたが、これに限らず、効果処理の実行中は表示し、効果処理を終了する際に消すように構成してもよい。また、効果処理が実行されてからタイマがスタートするとしが、画像データを読み込む前にタイマをスタートさせてもよいし、画像データを読み込んだ後にタイマをスタートさせてもよい。
【００５６】
なお、記録媒体２００及び２１０は、ＰＣＭＣＩＡカードやコンパクトフラッシュ（登録商標）のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【００５７】
また、記録媒体２００及び２１０がメモリカードとハードディスク等が一体となった複合媒体であっても勿論問題無い。さらに、その複合媒体から一部が着脱可能な構成としても勿論問題無い。
【００５８】
そして、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００５９】
また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【００６０】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６１】
この場合、記憶媒体から読み出されたプログラムコード自体が前述した実施形態の機能を実現することになり、プログラムコード自体及びそのプログラムコードを記憶した記憶媒体は本発明を構成することになる。
【００６２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６３】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００６４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６５】
【図１】本発明の実施形態に係る電子カメラの構成を示す図である。
【図２】本発明の実施形態に係る電子カメラの操作部材を示す図である。
【図３】本発明の実施形態に係る電子カメラの動作を示すフローチャートである。
【図４】表示画面の遷移を示す図である。
【図５】撮影日時情報及び背景画像を含む表示画面の一例を示す図である。
【符号の説明】
【００６６】
２０１  電源ボタン
２０２  メニューボタン
２０３  決定ボタン
２０４  表示ボタン
２０５  左ボタン
２０６  右ボタン
２０７  上ボタン
２０８  下ボタン
２１０  ズームボタン
２１１  モード切り替えスイッチ
２１２  液晶画面
【図１】
2007043226.tif 000003
【図２】
2007043226.tif 000004
【図３】
2007043226.tif 000005
【図４】
2007043226.tif 000006
【図５】
2007043226.tif 000007